(57)【要約】【課題】意匠性を損なうことなく、且つ安価に水密構造を実現できる筐体を有し、優れたメンテナンス性が付与されるリモコン装置を提供することを課題とする。【解決手段】樹脂からなる外装ケース３と樹脂からなる背面ケース２が水密的に熱溶着されてなる筐体１ａに、窓部３２を覆う透明なクリアカバー５が水密的に振動溶着されるリモコン装置１とする。熱溶着された外装ケース３と背面ケース２は分離可能で、使用者は回路基板４を容易に交換することができ、リモコン装置１に優れたメンテナンス性が付与される。また、筐体１ａとクリアカバー５の接合部には熱線２２及び電源接続孔２１が不要となり、リモコン装置１に優れた意匠性が付与される。【選択図】図１
2011021852.tif 000002
【特許請求の範囲】
【請求項１】
樹脂からなる第１ケースと樹脂からなる第２ケースが水密的に溶着される筐体を有し、
樹脂からなる外装部品が前記筐体に溶着されて備わるリモコン装置であって、
前記第１ケースと前記第２ケースの溶着と、前記筐体と前記外装部品の溶着に、少なくとも２つの異なった溶着方法が用いられ、
前記第１ケースと前記第２ケースは、分離可能に溶着されていることを特徴とするリモコン装置。
【請求項２】
前記第１ケースと前記第２ケースが熱溶着されていることを特徴とする請求項１に記載のリモコン装置。
【請求項３】
前記筐体と前記外装部品が振動溶着されていることを特徴とする請求項１または請求項２に記載のリモコン装置。
【請求項４】
前記外装部品は、前記筐体に形成される窓部を覆う透明なクリアカバーであって、
前記筐体と前記クリアカバーが水密的に溶着されていることを特徴とする請求項１乃至請求項３のいずれか１項に記載のリモコン装置。
【請求項５】
前記筐体の内部にはコネクタが実装された基板が配置され、
前記筐体には、当該筐体の外部から前記コネクタにケーブルを接続するための接続口が開口していることを特徴とする請求項１乃至請求項４のいずれか１項に記載のリモコン装置。
【発明の詳細な説明】
【技術分野】
【０００１】
本発明は、浴室や台所など、水がかかる環境に備わるリモコン装置に関する。
【背景技術】
【０００２】
水道管から供給される水を加熱する給湯器は一般的に屋外に設置されることから、給湯器を屋内から制御するためのリモコン装置が屋内に備えられている。
このような給湯器のリモコン装置は、浴室や台所など、水がかかる環境に備えられることが多い。したがって、筐体内部への水の浸入を防止するため、筐体が水密構造であることが好適である。
【０００３】
例えば、浴室の壁などに取り付けられるリモコン装置には、特許文献１に開示されているように、背面ケース、中間ケース（中仕切）、及び外装ケースで筐体が構成されているものがある。
背面ケースは、リモコン装置を、例えば浴室の壁に固定する底部を形成し、背面ケースを覆うように中間ケースが取り付けられる。
そして、リモコン装置の使用者がリモコン装置を操作するためのスイッチ類やリモコン装置の電気的な動作を実現するための各種電子部品が実装される回路基板は、背面ケース又は中間ケースに固定され、中間ケースと背面ケースの間に形成される領域に配置される。
中間ケースは、例えば透明な樹脂で形成され、液晶パネルなどの表示用部品が回路基板に実装される場合、リモコン装置の使用者が、表示用部品の表示を中間ケースを通して視認できる構成になる。
【０００４】
また、外装ケースは、リモコン装置の外観を構成する部品であって、リモコン装置に優れた意匠性を付与するためにデザインを優先して設計される。
外装ケースは、例えば不透明な樹脂で形成され、回路基板をリモコン装置の使用者の視界から隠すことでリモコン装置に優れた意匠性を付与する。
そして、外装ケースには、表示用部品に対応する位置に、例えば貫通穴からなる窓部が形成される。この構成によって、使用者は、透明な中間ケースを介して表示用部品の表示を視認できる。
【０００５】
このように、背面ケース、中間ケース、及び外装ケースで構成される筐体を有するリモコン装置の場合、例えば、背面ケースと中間ケースの接合部を水密構造にして、回路基板が配置される領域への水の浸入を防止し、リモコン装置にかかった水から回路基板を保護するように構成される。
外装ケースはデザイン優先で設計されることから、外装ケースと中間ケース、及び背面ケースと外装ケースの接合部が水密構造とならない場合がある。そこで、リモコン装置は、背面ケースと中間ケースの接合部を水密構造にして、リモコン装置にかかった水から内部に備わる回路基板を保護し、回路基板に、短絡、地絡等による不具合が発生することを防止するように構成される。
【０００６】
しかしながら、背面ケース、中間ケース、及び外装ケースで構成される筐体を有するリモコン装置は、底板となる背面ケースを覆うように中間ケースが取り付けられ、さらに、中間ケースの外側に外装ケースが取り付けられることから、背面ケースから外装ケースに向う長さ、すなわち、リモコン装置の厚みが厚くなるという問題がある。
そこで、中間ケースを備えず、底板となる背面ケースと外観を構成する外装ケースで構成される筐体を有するリモコン装置が考えられる。
【０００７】
この場合、リモコン装置の外観を構成する外装ケースを、例えば不透明な樹脂で形成し、リモコン装置の内部に備わる回路基板を、使用者の視界から隠す構成が好適である。この構成によって、リモコン装置に優れた意匠性が付与される。すなわち、使用者からの見た目がよいリモコン装置が構成される。
【０００８】
しかしながら、外装ケースを不透明な樹脂で形成すると、回路基板に実装される表示用部品の表示を、使用者が視認できなくなる。
そこで、例えば、外装ケースの、表示用部材と対する位置を開口して窓部を設けるとともに、透明な樹脂からなる部材で窓部を覆った表示窓が形成されるリモコン装置が好適である。
【０００９】
そして、背面ケースと外装ケースの接合部を水密構造にすることで、リモコン装置にかかった水から、リモコン装置の内部に配置される回路基板を保護できる。さらに、窓部を覆う透明な部材と外装ケースの接合部を水密構造にすることで、表示窓からの水の浸入を防止することができ、リモコン装置にかかった水から回路基板を保護できる。
【００１０】
例えば、リモコン装置の筐体が、背面ケースと外装ケースを接合して構成される場合、回路基板は、背面ケースと外装ケースの間の領域（筐体の内部）に配置される。そして、リモコン装置にかかった水から回路基板を保護するため、背面ケースと外装ケースの接合部が水密構造であることが好適である。さらに、リモコン装置に優れたメンテナンス性が付与されるために、使用者が回路基板を容易に交換できる構成が好適であり、背面ケースと外装ケースが分離可能な構造が望ましい。
【００１１】
背面ケースと外装ケースがともに樹脂からなる場合、背面ケースと外装ケースの接合部を水密構造にする方法として、背面ケースと外装ケースを水密的に溶着する方法がある。そして、溶着方法として、摩擦溶着や超音波溶着などの振動溶着がある。
例えば、背面ケースと外装ケースが振動溶着されると、背面ケースと外装ケースの接合部を水密的に溶着することができるが、使用者は、一度溶着された背面ケースと外装ケースを分離できない。
【００１２】
また、振動溶着と異なる溶着方法として、熱線など導電性の発熱体に電流を供給して発熱させ、背面ケースと外装ケースの接合部を溶かして溶着する熱溶着がある。
熱溶着は、溶着した部分を再加熱して溶かすことで、背面ケースと外装ケースを分離できる。また、比較的安価な溶着方法である。
しかしながら、熱溶着には、接合部に配置される発熱体が必要になる。また、発熱体に電流を供給する電源装置を接続するための孔が必要になる。
したがって、例えば、透明な部材からなる外装部品が熱溶着される筐体の場合、発熱体や孔が使用者の視界に入ることになってリモコン装置の意匠性が損なわれる。
【００１３】
なお、背面ケースと外装ケースの間にパッキンなどのシール材を挟み、外装ケースが背面ケースにネジ止めされたリモコン装置があるが、シール材が必要になってコストが上昇するとともにネジ止めする工数がかかるという問題がある。また、シール材の経時劣化によって水密構造の水密性が劣化することもある。
【先行技術文献】
【特許文献】
【００１４】
【特許文献１】特開２００７−３１５６７１号公報
【発明の概要】
【発明が解決しようとする課題】
【００１５】
そこで、本発明は、意匠性を損なうことなく、且つ安価に水密構造を実現できる筐体を有し、優れたメンテナンス性が付与されるリモコン装置を提供することを課題とする。
【課題を解決するための手段】
【００１６】
前記課題を解決するため、本発明は、筐体を構成する第１ケースと第２ケースの溶着と、筐体と外装部品の溶着に、少なくとも２つの異なった溶着方法が用いられ、第１ケースと第２ケースが分離可能に溶着されるリモコン装置とする。
【発明の効果】
【００１７】
本発明によると、意匠性を損なうことなく、且つ安価に水密構造を実現できる筐体を有し、優れたメンテナンス性が付与されるリモコン装置を提供することができる。
【図面の簡単な説明】
【００１８】
【図１】（ａ）は、本実施形態に係るリモコン装置の構成を示す図、（ｂ）は、操作ボタンの構造の一例を示す図である。
【図２】（ａ）は、熱線と電源接続孔の配置を示す一部破断図、（ｂ）は、熱線と固定孔の配置を示す図である。
【図３】（ａ）は、背面ケースの裏面を示す図、（ｂ）は、リモコン装置を浴室の壁に取り付けた状態を示す図、（ｃ）は、リモコン装置を、防水性のスペーサを備えて浴室の壁に取り付けた状態を示す図である。
【発明を実施するための形態】
【００１９】
以下、本発明の実施形態について、適宜図を参照して詳細に説明する。
図１の（ａ）に示すように、本実施形態に係るリモコン装置１の筐体１ａは、熱可塑樹脂等の樹脂からなる背面ケース２（第１ケース）と、熱可塑樹脂等の樹脂からなる外装ケース３（第２ケース）が接合されてなる。
【００２０】
背面ケース２は、例えば、矩形の薄い板状部材であり、外装ケース３は、例えば、矩形の薄い板状部材に壁状の溶着部３ａが立設している部材である。
溶着部３ａは、例えば、外装ケース３を形成する矩形の薄い板状部材の外周に沿うように全周に亘って壁状に立設し、外装ケース３は薄い箱型を呈する。そして、溶着部３ａが開口部３ｂの周囲を形成する。
背面ケース２と外装ケース３は外周形状が略同一に構成され、開口部３ｂを背面ケース２が覆うように、背面ケース２と外装ケース３が接合される。
このとき、溶着部３ａが背面ケース２の接合面２ａに接するように、背面ケース２と外装ケース３が接合する。
なお、背面ケース２及び外装ケース３の外周形状は矩形に限定されるものではなく、例えば楕円形など、矩形以外の形状であってもよい。
【００２１】
背面ケース２は、例えば浴室の壁７０にリモコン装置１を取り付ける底部となり、リモコン装置１を浴室の壁７０に取り付けるネジＳ２を通すための固定孔２３が形成されている。なお、図１の（ａ）には１つの固定孔２３が図示されているが、２つ以上の固定孔２３が形成される背面ケース２であってもよい。
【００２２】
また、外装ケース３の開口部３ｂには、背面ケース２の側に向って延びる、例えば２つのボス３１が形成される。
使用者がリモコン装置１を操作するためのスイッチ類やリモコン装置１の電気的な動作を実現するための各種電子部品が実装される回路基板４（基板）は、例えば、２つのネジＳ１で２つのボス３１に固定されて、外装ケース３の外周に沿って形成される溶着部３ａの内側、すなわち、開口部３ｂに収納されるように配置される。
図１の（ａ）には、２つのボス３１が図示されているが、これは一例であって、ボス３１の数を２つに限定するものではない。
なお、図示はしないが、例えば背面ケース２にボスを形成し、回路基板４が背面ケース２に固定される構成であってもよい。
【００２３】
また、回路基板４の外装ケース３の側には、リモコン装置１の動作状態や、リモコン装置１が制御する図示しない給湯器の動作状態、設定状態等を表示するための表示用部品として、例えば、液晶パネル４１が実装され、使用者が、外装ケース３の外側から液晶パネル４１の表示を視認できるように、筐体１ａが構成されることが好適である。
そのため、外装ケース３は、液晶パネル４１と対応する位置に、貫通穴からなる窓部３２を有している。
【００２４】
そして、外装ケース３には、窓部３２を覆う外装部品として、クリアカバー５が備わっている。クリアカバー５は、例えば、透明な樹脂からなる薄い板状の部材であって、外装ケース３の裏側（背面ケース２の側）から、窓部３２を覆うように取り付けられる。
【００２５】
クリアカバー５の形状は限定するものではない。例えば、クリアカバー５は、窓部３２の開口面積より大きい面積の板状を呈し、外装ケース３の裏側から窓部３２を覆うように取り付けられる構成であればよい。
さらに、例えば、クリアカバー５に、窓部３２と同じ形状の凸部を設け、この凸部が外装ケース３の窓部３２に嵌り込む構成とすれば、外装ケース３とクリアカバー５を平面に構成することができ、リモコン装置１に優れた意匠性を付与することができる。
なお、クリアカバー５は、外装ケース３の表側（背面ケース２と反対の側）から取り付けられる構成であってもよい。
【００２６】
また、表示用部品は液晶パネル４１に限定されず、例えば、ＬＥＤ（Light Emitting Diode）を使用した表示用部品であってもよい。
【００２７】
さらに、外装ケース３に、操作ボタン３４が備わるリモコン装置１であってもよい。操作ボタン３４の構造は限定するものではなく、例えば、図１の（ｂ）に示すように、回路基板４に実装されるプッシュスイッチＳＷの操作部を操作可能なスイッチ操作部３４ａが外装ケース３に形成されてなる。
スイッチ操作部３４ａは、例えば、外装ケース３を形成する樹脂の弾性力でプッシュスイッチＳＷから離反する方向に付勢され、使用者がスイッチ操作部３４ａを押し込むように操作すると、スイッチ操作部３４ａがプッシュスイッチＳＷを操作する構成とする。
さらに、外装ケース３の外側には、例えば樹脂製の薄いシートからなるスイッチカバー３４ｂが、スイッチ操作部３４ａを外装ケース３の外側から覆うように貼り付けられる。
なお、スイッチカバー３４ｂを、スイッチ操作部３４ａに対応する部分が盛り上がるように形成し、優れた操作性、及び優れた意匠性を操作ボタン３４に付与する構成としてもよい。
【００２８】
また、図１の（ｂ）には、１つのスイッチ操作部３４ａに１つのスイッチカバー３４ｂが貼り付けられる構成が図示されているが、例えば、外装ケース３に複数のスイッチ操作部３４ａが形成される場合、複数のスイッチ操作部３４ａの全てを１つのスイッチカバー３４ｂで覆うように構成してもよい。
【００２９】
このように、回路基板４とクリアカバー５が取り付けられて操作ボタン３４が形成される外装ケース３と、背面ケース２が接合されてリモコン装置１（図１の（ａ）参照）の筐体１ａが構成される。
【００３０】
本実施形態に係る、図１の（ａ）に示すリモコン装置１は、浴室や台所など、水がかかる環境に備えられる場合が多く、筐体１ａの内部（背面ケース２と外装ケース３の間に形成される領域）に備わる回路基板４を、リモコン装置１にかかった水から保護する必要がある。
【００３１】
そこで、リモコン装置１は、背面ケース２と外装ケース３の接合部を水密構造にして、背面ケース２と外装ケース３の接合部からの水の浸入を防ぐ構成が好適である。
また、リモコン装置１は、クリアカバー５と外装ケース３の接合部を水密構造にして、窓部３２からの水の浸入を防ぐ構成が好適である。
【００３２】
さらに、背面ケース２と外装ケース３が分離可能な構成であると、使用者は容易に回路基板４を交換することができ、リモコン装置１に優れたメンテナンス性が付与される。したがって、背面ケース２と外装ケース３が分離可能な構成が好適である。
【００３３】
前記したように、樹脂からなる部材の接合部を溶着することで、接合部を水密構造にすることができる。また、樹脂からなる部材の溶着方法として、振動溶着や熱溶着がある。
例えば、外装ケース３を背面ケース２に水密的に溶着する場合、前記したように、背面ケース２と外装ケース３は、分離可能に溶着されることが好適であることから、本実施形態に係るリモコン装置１の筐体１ａは、背面ケース２と外装ケース３が熱溶着されてなる。
そのため、図１の（ａ）に示すように、背面ケース２の１つの面（接合面２ａ）には、外周に沿って、熱溶着用の発熱体となる熱線２２が配置されている。
【００３４】
熱線２２は、電流が供給されると発熱して背面ケース２及び外装ケース３の溶着部３ａを溶かし、背面ケース２と外装ケース３を溶着する。
【００３５】
背面ケース２と外装ケース３を熱溶着する場合、熱線２２の配置される箇所が溶けて溶着し水密性を生じる。したがって、例えば、背面ケース２の外周に沿って全周に亘って熱線２２を配置する構成が好適である。
【００３６】
さらに、外装ケース３と背面ケース２が接合したとき、外装ケース３の溶着部３ａと背面ケース２が熱線２２を挟む構成が好適である。
すなわち、熱線２２が背面ケース２に配置される形状に沿うように、外装ケース３の溶着部３ａが形成されることが好適である。
このように、背面ケース２の外周に沿って全周に亘って熱線２２が配置され、且つ、外装ケース３の溶着部３ａが、熱線２２が背面ケース２に配置される形状に沿うように形成される構成とすることで、背面ケース２の外周に沿って全周に亘って外装ケース３が溶着され、背面ケース２と外装ケース３が水密的に溶着される。
【００３７】
また、図２の（ａ）に示すように、背面ケース２には、厚み方向に貫通する電源接続孔２１が形成され、熱線２２に電流を供給する電流供給源７の端子７ａが、背面ケース２の裏面２ｂ（接合面２ａと反対側の面）から接合面２ａの側の熱線２２と接続可能な構成となっている。
そして、熱線２２の例えば端部が、電源接続孔２１にかかるように熱線２２が配置され、熱線２２の例えば端部が、電源接続孔２１を介してリモコン装置１の外側に露出している構成が好適である。
【００３８】
この構成によって、使用者は、背面ケース２の裏面２ｂの側から、電源接続孔２１を介して電流供給源７の端子７ａを熱線２２に接続できる。そして、使用者は、熱線２２に電流を供給して熱線２２を発熱させて、背面ケース２と外装ケース３を熱溶着できる。逆に、背面ケース２と外装ケース３が溶着された状態のときに、使用者は、熱線２２に電流を供給して背面ケース２と外装ケース３の接合部を溶かすことができ、背面ケース２と外装ケース３を分離できる。
【００３９】
なお、電源接続孔２１は、背面ケース２の裏面２ｂが開口して形成されるが、図１の（ａ）に示すように、リモコン装置１は、背面ケース２の裏面２ｂが浴室の壁７０に対向するように浴室の壁７０に取り付けられ、電源接続孔２１による開口は使用者の視界から隠される。
また、電源接続孔２１の接合面２ａの側は、外装ケース３が覆うように構成することができ、電源接続孔２１による開口を使用者の視界から隠すことができる。
したがって、電源接続孔２１が、リモコン装置１の意匠性を損なうことはない。
さらに、使用者は、背面ケース２の裏面２ｂに形成される電源接続孔２１の開口によって、背面ケース２と外装ケース３が熱溶着されていると判断することができる。そして、必要に応じて背面ケース２と外装ケース３を分離することができる。
【００４０】
また、図２の（ａ）に示すように、リモコン装置１の熱線２２は、電源接続孔２１が形成される箇所でリモコン装置１の内側（回路基板４が配置される側）に曲がるように配置され、外装ケース３の溶着部３ａが、熱線２２に沿うように形成される構成が好適である。
【００４１】
このように構成されるリモコン装置１は、熱線２２及び外装ケース３の溶着部３ａが、電源接続孔２１と回路基板４の間を通る構成となる。
すなわち、電源接続孔２１が、溶着部３ａより外側に形成される。
外装ケース３は、溶着部３ａで背面ケース２と溶着され、この部分が水密構造になることから、回路基板４と電源接続孔２１の間が水密構造になる。
したがって、裏面２ｂの側から電源接続孔２１を介して接合面２ａの側に水が浸入しても、その水は、電源接続孔２１と回路基板４の間で遮断され、回路基板４は、裏面２ｂの側から接合面２ａの側に浸入する水から保護される。
なお、図１の（ａ）、図２の（ａ）には１つの電源接続孔２１が図示されているが、２つ以上の電源接続孔２１が形成されていてもよい。
【００４２】
また、図２の（ｂ）に示すように、熱線２２は、固定孔２３が形成される箇所でリモコン装置１の内側（図２の（ａ）に示す回路基板４が配置される側）に曲がるように配置され、さらに、外装ケース３の溶着部３ａが、熱線２２に沿うように形成される構成が好適である。
【００４３】
このように構成されるリモコン装置１（図２の（ａ）参照）は、熱線２２及び外装ケース３の溶着部３ａが、固定孔２３と回路基板４（図２の（ａ）参照）の間を通る構成となる。
すなわち、固定孔２３が、溶着部３ａより外側に形成される。
前記したように、外装ケース３は、溶着部３ａで背面ケース２と溶着され、この部分が水密構造になることから、回路基板４と固定孔２３の間が水密構造になる。
したがって、裏面２ｂの側から固定孔２３を介して接合面２ａの側に水が浸入しても、その水は、固定孔２３と回路基板４の間で遮断され、回路基板４が水から保護される。
【００４４】
なお、図２の（ｂ）に示すように、外装ケース３に切り欠き部３ｃが形成され、背面ケース２と外装ケース３が接合している状態であっても、固定孔２３が外装ケース３の側で、筐体１ａ（図１の（ａ）参照）の外側に露出する構成のリモコン装置１（図１の（ａ）参照）であってもよい。
この構成によって、使用者は、背面ケース２と外装ケース３が溶着した状態のリモコン装置１を、外装ケース３の側から固定孔２３を通るネジＳ２で浴室の壁７０に取り付けることができる。
すなわち、使用者は、リモコン装置１を容易に浴室の壁７０に取り付けることができ、リモコン装置１に優れた作業性が付与される。
【００４５】
この場合、外装ケース３に形成される切り欠き部３ｃは、溶着部３ａより外側に形成される構成が好適である。
さらに、図２の（ａ）、（ｂ）に示すように、切り欠き部３ｃを覆うカバー部材３６が外装ケース３に取り付けられてネジＳ２を使用者の視界から隠す構成によって、リモコン装置１（図１の（ａ）参照）に優れた意匠性が付与される。
【００４６】
カバー部材３６は、外装ケース３に着脱自在に取り付けられる構造が好適であり、例えば、外装ケース３の切り欠き部３ｃに形成される２つの係合孔３ｄと背面ケース２の固定孔２３近傍に形成される少なくとも１つの係合孔２４に係合する複数の係合爪３６ａ（図２の（ｂ）には３つの係合爪３６ａを例示）を備えるカバー部材３６とすればよい。
カバー部材３６を外装ケース３に着脱自在に取り付けるための２つの係合孔３ｄ、係合孔２４、及び複数の係合爪３６ａには、公知の技術が利用されるものとすればよい。
また、係合孔３ｄの数は２つに限定されるものではなく、係合孔２４の数も１つに限定されるものではない。さらに、係合爪３６ａの数も３つに限定されるものではない。
なお、外装ケース３に形成される、例えば２つの係合孔３ｄは、外装ケース３を貫通しない構成が好適であり、この構成によって、２つの係合孔３ｄから、筐体１ａ（図１の（ａ）参照）の内部に水が浸入することを防止できる。
【００４７】
カバー部材３６と外装ケース３の接合部が水密構造でない場合、リモコン装置１（図２の（ａ）参照）に水がかかると、カバー部材３６と外装ケース３の間から外装ケース３の切り欠き部３ｃに水が浸入する。
しかしながら、切り欠き部３ｃは、溶着部３ａより外側に形成されることから、溶着部３ａは切り欠き部３ｃと回路基板４（図２の（ａ）参照）の間を通って形成される。したがって、切り欠き部３ｃに浸入した水は、切り欠き部３ｃと回路基板４の間で遮断され、回路基板４は、リモコン装置１にかかった水から保護される。
【００４８】
すなわち、リモコン装置１（図２の（ａ）参照）は、カバー部材３６と外装ケース３の接合部が水密構造である必要がなく、簡単な構造で安価な外装ケース３及びカバー部材３６とすることができる。したがって、外装ケース３及びカバー部材３６の製造コストが低く抑えられる。ひいては、リモコン装置１の製造コストが低く抑えられる。
【００４９】
以上、図１、図２に示すように、本実施形態に係るリモコン装置１の筐体１ａは、背面ケース２と外装ケース３が水密的に熱溶着されて背面ケース２と外装ケース３の接合部を水密構造にできる。そして、リモコン装置１は、筐体１ａの内部に配置される回路基板４を、リモコン装置１にかかった水から保護できるように構成される。
【００５０】
また、背面ケース２と外装ケース３が溶着された状態のときに、使用者が熱線２２に電流を供給すると熱線２２が発熱し、背面ケース２、及び外装ケース３の溶着部３ａが溶け、使用者は、背面ケース２と外装ケース３を分離できる。
すなわち、使用者は、必要に応じて背面ケース２と外装ケース３を分離することができ、回路基板４を容易に交換できる。この構成によって、リモコン装置１に優れたメンテナンス性が付与される。
【００５１】
さらに、背面ケース２及び外装ケース３は、不透明な樹脂からなり、背面ケース２に配置される熱線２２や背面ケース２に形成される電源接続孔２１を使用者の視界から隠すことができる。したがって、リモコン装置１は、意匠性を損なうことなく、熱線２２及び電源接続孔２１を備えることができる。
【００５２】
一方、図１の（ａ）に示す、外装ケース３に取り付けられるクリアカバー５は、一度取り付けたら取り外される必要がないことから、本実施形態に係るリモコン装置１は、クリアカバー５と外装ケース３の接合部が振動溶着（超音波溶着、摩擦溶着）で溶着される構成とする。
この場合、クリアカバー５の全周が外装ケース３に溶着されることで、クリアカバー５を外装ケース３に、水密的に溶着できる。
【００５３】
例えば、本実施形態において、クリアカバー５は外装ケース３に振動溶着される。振動溶着の場合、クリアカバー５と外装ケース３の接合部に、熱線２２及び電源接続孔２１を備える必要がない。
クリアカバー５は、使用者がリモコン装置１の外側から見ることができる外装部品であり、且つ透明な部材であることから、クリアカバー５と外装ケース３の接合部に熱線２２及び電源接続孔２１が備わると、熱線２２及び電源接続孔２１が使用者の視界に入ることになってリモコン装置１の意匠性が損なわれる。
本実施形態は、クリアカバー５が外装ケース３に振動溶着される構成によって、リモコン装置１の意匠性を損なうことなく、クリアカバー５と外装ケース３の接合部を水密構造にできる。
【００５４】
なお、図１の（ｂ）に示すスイッチカバー３４ｂは、外装ケース３との接合部が水密構造となるように、外装ケース３に貼り付けられる構成が好適である。この構成によって、スイッチ操作部３４ａからの水の浸入を防止することができる。
スイッチカバー３４ｂは、外装ケース３に一度貼り付けられたら取り外される必要はなく、例えば、スイッチカバー３４ｂが耐水性の接着剤で外装ケース３に貼り付けられることで、外装ケース３とスイッチカバー３４ｂの接合部を水密構造に構成できる。
【００５５】
また、図３の（ａ）に示すように、回路基板４の背面ケース２の側に、リモコン装置１の外部からケーブルＣＡを接続するためのコネクタＣＮが実装される場合がある。
コネクタＣＮには、例えば、回路基板４に実装される図示しないＣＰＵ（Central Processing Unit）が実行するプログラムを使用者が書き換えるために、例えば、図示しないパーソナルコンピュータに接続されるケーブルＣＡが接続される。
【００５６】
そして、背面ケース２の、コネクタＣＮに対応する位置には接続口２５が開口する構成が好適である。この構成によって、使用者は、外装ケース３と背面ケース２を分離することなく、ケーブルＣＡをコネクタＣＮに接続できる。そして、使用者は、例えば、図示しないＣＰＵが実行するプログラムを容易に書き換えることができる。
したがって、使用者は、背面ケース２と外装ケース３を分離することなく容易にプログラムを書き換えることができ、リモコン装置１に優れたメンテナンス性が付与される。
【００５７】
しかしながら、接続口２５から水が浸入すると、回路基板４に、短絡、地絡等の不具合が発生する。
そこで、背面ケース２に接続口２５が形成される場合、コネクタＣＮにケーブルＣＡが接続されないときは、接続口２５を覆う防水カバー２５ａが背面ケース２の裏面２ｂに貼り付けられる構成が好適である。
防水カバー２５ａは、例えば、樹脂製の薄いシートであり、防水性があって水の浸入を防止できる両面テープＴＰ等で背面ケース２の裏面２ｂに貼り付けられる構成が好適である。この構成によって、防水カバー２５ａと背面ケース２の接合部を水密構造にすることができ、接続口２５からの水の浸入を防止できる。
【００５８】
また、回路基板４と図示しない給湯器を接続するワイヤＷは、例えば、背面ケース２の裏面２ｂに、裏面２ｂから延びるように取り付けられる中空のパイプ部材２６の中空部を通って筐体１ａの外部に引き出される構成としてもよい。
例えば、図示しない給湯器が、リモコン装置１が備わる浴室と、浴室の壁７０（図３の（ｂ）参照）を挟んで反対側の部屋に設置される場合、リモコン装置１の回路基板４と図示しない給湯器を接続するワイヤＷは、背面ケース２の裏面２ｂに取り付けられるパイプ部材２６にガイドされて浴室の壁７０を通り抜ける構成とする。
【００５９】
背面ケース２は、パイプ部材２６が取り付けられる箇所が開口して、パイプ部材２６の中空部と筐体１ａ（図１の（ａ）参照）の内部とが連通する構成とすれば、パイプ部材２６の中空部を通して、回路基板４に接続するワイヤＷを筐体１ａの外部に引き出すことができる。
そして、背面ケース２とパイプ部材２６の接合部を水密構造にすれば、背面ケース２の開口部からの水の浸入を防止することができ、回路基板４を水から保護できる。
例えば、背面ケース２とパイプ部材２６の接合部の間隙が、図示しない防水性のシーリング材で塞がれる構成によって、背面ケース２とパイプ部材２６の接合部を水密構造にできる。
【００６０】
そして、図３の（ｂ）に示すように、リモコン装置１が浴室の壁７０に取り付けられるとき、パイプ部材２６が浴室の壁７０を通り抜ける構成とし、浴室の壁７０とパイプ部材２６の接合部を水密構造にすれば、リモコン装置１の背面ケース２と浴室の壁７０の間隙に水が浸入しても、リモコン装置１の筐体１ａの内部に水が浸入することがなく、回路基板４を水から保護できる。
例えば、浴室の壁７０とパイプ部材２６の接合部の間隙が、図示しない防水性のシーリング材で塞がれる構成によって、浴室の壁７０とパイプ部材２６の接合部を水密構造にできる。
【００６１】
なお、図３の（ｃ）に示すように、リモコン装置１の背面ケース２と浴室の壁７０の間に防水性のスペーサ７１を備えてリモコン装置１が浴室の壁７０に取り付けられる構成であってもよい。
この構成によって、背面ケース２と浴室の壁７０の間隙への水の浸入が防止され、例えば、接続口２５（図３の（ａ）参照）からの水の浸入が、より確実に防止される。
【００６２】
以上、本実施形態に係るリモコン装置１は、図１の（ａ）に示すように、背面ケース２と外装ケース３が熱溶着されて筐体１ａが形成される。
この構成によって、背面ケース２と外装ケース３の接合部が水密構造になって、リモコン装置１の筐体１ａの内部への水の浸入が好適に防止され、筐体１ａの内部に備わる回路基板４をリモコン装置１にかかった水から保護することができる。
さらに、背面ケース２と外装ケース３が溶着された状態であっても、熱線２２に電流が供給されると、背面ケース２と外装ケース３の接合部が溶けて背面ケース２と外装ケース３が分離する。したがって、使用者は、筐体１ａの内部に備わる回路基板４を容易に交換でき、リモコン装置１に優れたメンテナンス性が付与される。
【００６３】
また、本実施形態に係るリモコン装置１の筐体１ａは、クリアカバー５が外装ケース３に摩擦溶着される構成とした。
この構成によって、熱線２２や電源接続孔２１がクリアカバー５と外装ケース３の接合部に配置される必要がなく、熱線２２や電源接続孔２１が使用者の視界に入ることがない。したがって、リモコン装置１の意匠性が損なわれることがない。
【００６４】
このように、図１の（ａ）に示す、本実施形態に係るリモコン装置１は、背面ケース２と外装ケース３が熱溶着されるとともに、外装ケース３とクリアカバー５が摩擦溶着されることで、背面ケース２と外装ケース３の溶着と、筐体１ａとクリアカバー５の溶着に、２つの異なった溶着方法が用いられるリモコン装置１になる。
この構成によって、背面ケース２と外装ケース３が水密的に溶着されるとともに、筐体１ａとクリアカバー５が水密的に溶着される。
したがって、筐体１ａの内部に配置される回路基板４を、リモコン装置１にかかった水から保護できる。
【００６５】
さらに、背面ケース２と外装ケース３が熱溶着されることで、背面ケース２と外装ケース３が分離可能に溶着される。
したがって、使用者は、筐体１ａの内部に配置される回路基板４を容易に交換することができ、リモコン装置１に優れたメンテナンス性が付与される。
【００６６】
また、熱溶着は、摩擦溶着などの振動溶着より安価な溶着方法であることから、背面ケース２と外装ケース３が熱溶着されることで、リモコン装置１の製造コストが低く抑えられる。
【００６７】
また、筐体１ａとクリアカバー５が摩擦溶着されることで、意匠性を損なうことなく、筐体１ａとクリアカバー５の接合部を水密構造にできる。
【００６８】
さらに、図３の（ａ）に示すように、背面ケース２の、コネクタＣＮに対応する位置に接続口２５が開口することで、使用者は、外装ケース３と背面ケース２を分離することなく、ケーブルＣＡをコネクタＣＮに接続できる。そして、使用者は、図示しないＣＰＵが実行するプログラムを容易に書き換えることができる。
したがって、使用者は、背面ケース２と外装ケース３を分離することなく容易にプログラムを書き換えることができ、リモコン装置１に優れたメンテナンス性が付与される。
【００６９】
なお、本実施形態においては、クリアカバー５（図１の（ａ）参照）と外装ケース３が摩擦溶着される構成としたが、例えば、クリアカバー５と外装ケース３が超音波溶着される構成であってもよい。ただし、超音波溶着は、超音波の強弱によって接合強度にばらつきが発生する場合があるため、歩留まりを考慮すると、摩擦溶着の方が好ましい。
【００７０】
また、例えば、クリアカバー５（図１の（ａ）参照）以外の図示しない外装部品が筐体１ａ（図１の（ａ）参照）に溶着される場合、図示しない外装部品と筐体１ａが摩擦溶着される構成であってもよいし、超音波溶着される構成であってもよい。又は、レーザー溶着など、他の溶着方法を用いて溶着される構成であってもよい。
【００７１】
このように、クリアカバー５（図１の（ａ）参照）の他に少なくとも１つの図示しない外装部品が筐体１ａに溶着されるリモコン装置１（図１の（ａ）参照）の場合、それぞれの外装部品が異なる溶着方法で筐体１ａに溶着される構成であってもよいし、全ての外装部品が同じ溶着方法で筐体１ａに溶着される構成であってもよい。
【００７２】
そして、図１の（ａ）に示す、本実施形態に係るリモコン装置１は、クリアカバー５の他に少なくとも１つの図示しない外装部品が筐体１ａに溶着される場合であっても、背面ケース２と外装ケース３の溶着と、クリアカバー５と筐体１ａの溶着と、図示しない外装部品と筐体１ａの溶着に、少なくとも２つの溶着方法を用いることで、リモコン装置１に優れた意匠性、及び優れたメンテナンス性を付与することができる。
【符号の説明】
【００７３】
１      リモコン装置
１ａ    筐体
２      背面ケース（第１ケース）
３      外装ケース（第２ケース）
４      回路基板（基板）
５      クリアカバー（外装部品）
２５    接続口
３２    窓部
ＣＮ    コネクタ
ＣＡ    ケーブル
【図１】
2011021852.tif 000003
【図２】
2011021852.tif 000004
【図３】
2011021852.tif 000005